(57)【要約】
【課題】　本考案の目的は、スパイクを選択的に取り替えることができるスパイク靴を提供しようとすることにある。
【解決手段】　本考案はそのソールの底面に複数の挿入孔が形成してあり、該複数の挿入孔にそれぞれスパイク手段が脱着可能にねじ込まれていることを特徴とするスパイク靴を提供する。
【選択図】　図１
0003099881.tif 000002
【実用新案登録請求の範囲】
【請求項１】
　そのソールの底面に複数の挿入孔が形成してあり、該複数の挿入孔にそれぞれスパイク手段が脱着可能にねじ込まれていることを特徴とするスパイク靴。
【請求項２】
　底面に複数の挿入孔が形成されたソールと、前記複数の挿入孔にそれぞれ脱着可能に嵌入されている複数のスパイク手段とを備え、
　前記複数の挿入孔内の頂面内に、それぞれねじ孔付き螺合部材がそのねじ孔の開口が下方の外へ向くように埋まれており、
　前記複数のスパイク手段は、それぞれ前記ソールの挿入孔内に一部が該ソールの底面外に露出するように嵌入しているゴムベースと、金属からなり、前記ゴムベース内に埋まれているスパイク金具とからなり、
　該スパイク金具は、前記ゴムベース内からねじ棒と突柱とがそれぞれ上下延伸してあり、該ねじ棒は前記ゴムベースの頂面より突出して前記螺合部材のねじ孔内にねじ込み、該突柱は前記ゴムベースのソール外に露出している下面より突出したことを特徴とするスパイク靴。
【請求項３】
　前記突柱は一対あり、それぞれ前記ゴムベースの下面の互いに対称的な位置から突出しており、
　前記ゴムベースの下面に更に一対の抜出し用の穴が、それぞれ他の互いに対称的な位置に形成されていることを特徴とする請求項２に記載のスパイク靴。
【請求項４】
　前記挿入孔内の頂面近くは前記ねじ孔付き螺合部材の開口周りに、環状の平面を形成しており、
　前記ゴムベースの上面に、前記挿入孔に挿入して前記平面に阻止されている嵌止部が突出形成されていることを特徴とする請求項２に記載のスパイク靴。
【考案の詳細な説明】
【技術分野】
【０００１】
　本考案は、スパイク靴に関し、特に、例えば磯釣りをするなどの時に履く滑り止め効果が良いスパイク靴に関する。
【背景技術】
【０００２】
　水や水草，苔などによりつるつるとした岩場などの湿った場所で、釣りなどをする時、足が滑らないように平穏に歩くために、滑り止め効果を有するスパイク靴を履く必要がある。このようなスパイク靴は、ソールの底面に形成された複数のスパイクで湿った地面を掴んで打つことにより、滑り止め効果を発揮することができる。
【０００３】
　しかしながら、このようなスパイク靴は、スパイクがソールと一体的に形成されているため、長期間履かれると、複数のスパイクのうちいくつかのスパイクが地面との摩耗によって摩損され、スパイク靴全体の滑り効果が低下する場合、摩損されたスパイクだけを取り替えることができず、新たなスパイク靴を買うという不経済的な欠点がある。
【考案の開示】
【考案が解決しようとする課題】
【０００４】
　上記問題点に鑑みて、本考案の目的は、スパイクを選択的に取り替えることができるスパイク靴を提供しようとすることにある。
【課題を解決するための手段】
【０００５】
　上記目的を達成するために、本考案は、そのソールの底面に複数の挿入孔が形成してあり、該複数の挿入孔にそれぞれスパイク手段が脱着可能にねじ込まれていることを特徴とするスパイク靴を提供する。
【０００６】
　さらに具体的に説明すると、本考案は、例えば、底面に複数の挿入孔が形成されたソールと、前記複数の挿入孔にそれぞれ脱着可能に嵌入されている複数のスパイク手段とを備え、前記複数の挿入孔内の頂面内に、それぞれねじ孔付き螺合部材がそのねじ孔の開口が下方の外へ向くように埋まれており、前記複数のスパイク手段は、それぞれ前記ソールの挿入孔内に一部が該ソールの底面外に露出するように嵌入しているゴムベースと、金属からなり、前記ゴムベース内に埋まれているスパイク金具とからなり、該スパイク金具は、前記ゴムベース内からねじ棒と突柱とがそれぞれ上下延伸してあり、該ねじ棒は前記ゴムベースの頂面より突出して前記螺合部材のねじ孔内にねじ込み、該突柱は前記ゴムベースのソール外に露出している下面より突出したことを特徴とするスパイク靴を提供することができる。
【考案の効果】
【０００７】
　上記の構成による本考案のスパイク靴の各スパイク手段は、例えば前記ねじ棒があって前記ねじ孔付き螺合部材のねじ孔にねじ込まれているので、いずれかのスパイク手段の例えば前記突柱が摩損された場合、スパナなどのツールで前記スパイク手段を回して前記スパイク手段と前記ソールとの螺合を解除し、新たなスパイク手段に取り替えることができる。
【考案を実施するための最良の形態】
【０００８】
　以下、図面を参照しながら、本考案のスパイク靴の好ましい実施形態について詳しく説明する。図１に示すように、本実施形態におけるスパイク靴１は、底面の爪先部及び踵部にそれぞれ複数の挿入孔１２が形成されたソール１０と、前記複数の挿入孔１２にそれぞれ脱着可能に嵌入されている複数のスパイク手段２０と、前記ソール１０に一体的に形成された複数の鋲１１とを備えている。
【０００９】
　また、前記図１を図２及び図３と合わせてみると、前記複数の挿入孔（１２）内の頂面内に、それぞれねじ孔（１３２）付き螺合部材１３がそのねじ孔１３２の開口が下方の外へ向くように埋込まれている。前記螺合部材１３は、金属からなり、その上端縁からフランジ１３１が張出しになり、また、前記挿入孔（１２）内の頂面内に前記螺合部材１３を外嵌している内壁がある上、該内壁の上周縁に前記フランジ１３１を含んでいる環状の係止溝が形成してあるので、前記挿入孔（１２）内の頂面内にしっかりと係止固定されている。そして、前記挿入孔（１２）内の頂面近くは前記ねじ孔付き螺合部材１３の開口周りに環状の平面１２１を形成している。
【００１０】
　また、前記複数のスパイク手段２０は、それぞれ前記ソール１０の挿入孔（１２）内に一部が該ソール１０の底面外に露出するように嵌入しているゴムベース２１と、金属からなり、前記ゴムベース（２１）内に埋まれているスパイク金具２２とからなっている。
【００１１】
　前記ゴムベース２１の上面に、前記挿入孔１２に挿入して前記平面１２１に阻止されている嵌止部２１１が突出形成されている。このようにして前記ゴムベース２１と前記挿入孔１２との間に形成された隙間がほぼ直角になるので、水が前記ねじ孔１３２に浸入することを阻止することができる。
【００１２】
　また、該スパイク金具２２は、前記ゴムベース（２１）内からねじ棒２２２と一対の突柱２２３とがそれぞれ上下延伸してある。該ねじ棒２２２は前記ゴムベース２１の頂面より突出して前記螺合部材１３のねじ孔内にねじ込んでいる。前記一対の突柱２２３は前記ゴムベース２１のソール（１０）外に露出している下面の互いに対称的な位置より突出している。前記一対の突柱２２３の前記下面から突出した長さは、３〜４ｍｍの範囲とするのが好ましい。なお、前記ゴムベース２１の下面に更に一対の抜出し用の穴２１２が、それぞれ他の互いに対称的な位置に形成されている。
【００１３】
　従って、前記スパイク靴１は、長期間履かれていずれかの突柱２２３が摩耗によって摩損される場合、図４に示すように、スパナ１００の挿入ピン１０１を前記ゴムベース２１の下面上の抜出し用孔２１２に挿入することにより、前記スパイク手段２０を回して、前記スパイク手段２０と前記ソール１０との螺合を解除し、新たなスパイク手段２０に取り替えることができる。このようにして、本実施形態におけるスパイク靴１は、摩損されたスパイク手段２０を選択的に取り替えることができるので、滑り止め効果を良好に保持することができる。
【産業上の利用可能性】
【００１４】
　上記のように、本考案によれば、スパイクを選択的に取り替えることができるスパイク靴を提供することができる。
【００１５】
　従って、本考案のスパイク靴は、水や水草，苔などによりつるつるとした岩場などの湿った場所で磯釣りなどの良い滑り止め効果が必要な活動に好適である。
【図面の簡単な説明】
【００１６】
【図１】本考案の実施形態のスパイク靴の底部を示す要部分解斜視図。
【図２】前記実施形態におけるスパイク手段とソールの挿入孔とを示す分解断面図。
【図３】前記実施形態におけるスパイク手段が挿入孔にねじ込まれた状態を示す断面図。
【図４】スパナで前記実施形態におけるスパイク手段の前記ソールとの螺合を解除つつある状態を示す説明図。
【符号の説明】
【００１７】
１　スパイク靴
１０　ソール
１１　鋲
１２　挿入孔
１２１　平面
１３　ねじ孔付き螺合部材
１３１　フランジ
１３２　ねじ孔
２０　スパイク手段
２１　ゴムベース
２１１　嵌止部
２１２　抜出し用孔
２２　スパイク金具
２２２　ねじ棒
２２３　突柱
１００　スパナ
１０１　挿入ピン
【図１】
0003099881.tif 000003
【図２】
0003099881.tif 000004
【図３】
0003099881.tif 000005
【図４】
0003099881.tif 000006